(57)【要約】【課題】  極めて広い収納空間が得られる浴室の間仕切構造を提供する。【解決手段】  浴室１の居室７側に接する面６に、木軸５ａ，５ｂ間口いっぱいに亘って浴室１と居室７を結ぶ間仕切枠を設置し、この間仕切枠内に部材を設けて収納空間を形成させる。【選択図】  図１
2007023517.tif 000002
【特許請求の範囲】
【請求項１】
浴室の居室に接する側に、木軸間口いっぱいに亘って浴室と居室を結ぶ間仕切枠を設置し、該間仕切枠内に収納空間を形成させたことを特徴とする浴室の間仕切り構造。
【請求項２】
前記間仕切枠内に、居室側の壁パネルと浴室側の壁パネルを並設し、両壁パネル間に設備機器を埋め込み可能な中空部を形成させたことを特徴とする請求項１に記載の浴室の間仕切り構造。
【請求項３】
前記間仕切枠の内側に、棚，壁を備えた内枠を着脱可能に設置したことを特徴とする請求項１に記載の浴室の間仕切り構造。
【請求項４】
前記収納空間を前記居室側へ拡張させることのできる形状の壁部材を、前記間仕切枠に設けたことを特徴とする請求項１または請求項３に記載の浴室の間仕切り構造。
【請求項５】
前記収納空間内まで出っ張る浴槽を、浴室に設置したことを特徴とする請求項１または請求項３または請求項４に記載の浴室の間仕切り構造。
【発明の詳細な説明】
【技術分野】
【０００１】
本発明は、浴室と居室間を間仕切る間仕切り構造に関するものである。
【背景技術】
【０００２】
従来、特許文献１に開示されているように、浴室と洗面室間を間仕切る間仕切壁内に、収納空間を形成させた構造が存在する。
【特許文献１】特開２００５−６８７８４号公報
【発明の開示】
【発明が解決しようとする課題】
【０００３】
従来のように、浴室と洗面室を仕切る間仕切り壁内に収納部を形成させる構造では、間仕切り壁の側方に浴室と洗面室間を出入りできるドアが設けられ、このドアが例えば３枚引き戸等で構成されている場合には、間仕切り壁内の収納スペースは極めて狭いものとなり、充分な収納空間を確保することができないという問題点があった。
【課題を解決するための手段】
【０００４】
本発明は上記従来の問題点に鑑み案出したものであって、充分な広さの収納空間を確保することのできる浴室の間仕切り構造を提供するものであり、その請求項１は、浴室の居室に接する側に、木軸間口いっぱいに亘って浴室と居室を結ぶ間仕切枠を設置し、該間仕切枠内に収納空間を形成させたことである。
【０００５】
また請求項２は、前記間仕切枠内に、居室側の壁パネルと浴室側の壁パネルを並設し、両壁パネル間に設備機器を埋め込み可能な中空部を形成させたことである。
【０００６】
また請求項３は、前記間仕切枠の内側に、棚，壁を備えた内枠を着脱可能に設置したことである。
【０００７】
また請求項４は、前記収納空間を前記居室側へ拡張させることのできる形状の壁部材を、前記間仕切枠に設けたことである。
【０００８】
また請求項５は、前記収納空間内まで出っ張る浴槽を、浴室に設置したことである。
【発明の効果】
【０００９】
本発明の浴室の間仕切り構造は、浴室の居室に接する側に、木軸間口いっぱいに亘って間仕切枠を設置して収納空間を形成させたことにより、木軸間口いっぱいに亘る極めて広い収納空間を良好に確保することができるものとなる。
【００１０】
また、間仕切枠内に、居室側の壁パネルと浴室側の壁パネルを並設し、両壁パネル間に中空部を形成させたことにより、中空部内に照明，空調等の設備機器を隠蔽状に埋め込むことができ、また、この中空部を断熱層として利用することもできる。
【００１１】
また、間仕切枠の内側に、棚，壁を備えた内枠を着脱可能に設置したことにより、リフォーム等の際に、内枠を着脱させて、棚等の配置の異なる内枠に変更させることができ、収納空間内のレイアウトを容易に変更できるものとなる。
【００１２】
また、収納空間を居室側へ拡張させることのできる形状の壁部材を間仕切枠に設けたことにより、より広い収納空間を確保することができるものとなる。
【００１３】
また、収納空間内まで出っ張る浴槽を浴室に設置したことにより、浴槽が収納空間内まで出っ張るため、その分、浴室の洗い場スペースを広くすることができるものとなる。
【実施例】
【００１４】
以下、本発明の実施例を図面に基づいて説明する。
図１および図２は、タイプの異なる浴室と洗面室の平面概略構成図である。
図１の浴室１の側方には、ドア４を備えた間仕切壁３で仕切られて洗面室２が形成され、この浴室１と洗面室２の外周には、複数本の柱５，５が立設されており、柱５，５間には壁面が形成されている。
【００１５】
図２においても同様であり、図１および図２における居室７と浴室１間の壁面６に、本例では柱５ａ，５ｂ間いっぱいに亘って間仕切枠８を設けて収納空間Ｓを形成させるものである。
【００１６】
図３の平面概略図で示すように、浴室１の底面を構成する防水パン１ａの端縁に間仕切枠８を連続させて載せ、間仕切枠８を柱５ａ，５ｂ間の木軸間口いっぱいに亘って設置するものである。
【００１７】
図４の分解図で示すように、間仕切枠８内には、縦板９，９，９や、縦板９，９間に横設される棚１０等を内装させて、間仕切枠８内を複数の棚１０を有する収納空間Ｓとすることができ、間仕切枠８の居室７側に壁パネル１１を設置して、居室７側を壁パネル１１で閉ざすことができるものである。
なお、壁パネル１１を透明或いは半透明の部材で構成しておけば、居室７と浴室１が連続したように見えて、浴室１内で入浴する際に広々とした居室７を見渡すことができるものとなる。
【００１８】
なお、図５の平面断面構成図で示すように、居室７側の壁パネル１１に平行状に、間仕切枠８内に別の内側壁パネル１１ａを縦板９，９間に設置して、この内側壁パネル１１ａと壁パネル１１間に隠蔽された中空部Ｓ２を形成させることができ、この中空部Ｓ２内には照明，空調等の設備機器を隠蔽状に埋め込んで設置することができ、空調設備等をすっきりとした状態で収納空間Ｓ内に収めることができるものとなる。
なお、この内側壁パネル１１ａを更に幅の広いものにして中空部Ｓ２を間仕切枠８の幅いっぱいに形成させておけば、この中空部Ｓ２を断熱層として機能させることができるものとなる。
【００１９】
次に、図６の平面構成図で示すものは変更例であり、図６では、間仕切枠８の内側に、浴室１側から着脱可能に内枠１２を取り付けて設置したものであり、内枠１２内に予め縦板９，９や棚１０等を組み付けておけば、この内枠１２を間仕切枠８内に取り付けることで、棚等を備えた収納空間を形成させることができるものとなり、リフォーム等の時には、この内枠１２を間仕切枠８から取り外して、別の棚等がレイアウトされた内枠１２と交換し、収納空間内の棚等のレイアウトを容易に変更させることができるものとなる。
【００２０】
次に、図７は更に異なる変更例の平面構成図であり、図７では、間仕切枠８に居室７側へ出っ張ったトレイ状の断面を有する壁部材１３を取り付けたものである。
壁部材１３は、間仕切枠８の内周に固定される固定部１３ａと、この固定部１３ａから居室７側へ突出する出っ張り壁１３ｂと、出っ張り壁１３ｂ，１３ｂ間を塞ぐ背壁１３ｃでトレイ状に形成されており、このような壁部材１３を間仕切枠８に取り付けることで、浴室１側の収納空間をより拡張させて広い収納空間Ｓを確保できるものとなる。
【００２１】
更には、この収納空間Ｓ内に図８の平面図で示すように浴槽１４の一部を出っ張らせた状態で、浴槽１４を浴室１内に設置することができ、このように収納空間Ｓ内まで浴槽１４を出っ張らせて設置すれば、浴室１内の洗い場を広々とした空間にすることができるものとなる。
【図面の簡単な説明】
【００２２】
【図１】浴室と洗面室の平面概略構成図である。
【図２】タイプの異なる浴室と洗面室の平面構成図である。
【図３】浴室の底面を構成する防水パン上に連続させて柱間の間口いっぱいに亘り間仕切枠を設けた状態の平面概略構成図である。
【図４】間仕切枠とその内部に設けられる部材の分解斜視図である。
【図５】間仕切枠内に内側壁パネルを設けて中空部を形成させた状態の平面概略構成図である。
【図６】間仕切枠に着脱可能な内枠を取り付けた場合の平面概略構成図である。
【図７】更に間仕切枠に居室側へ出っ張る形状の壁部材を設置した状態の平面概略構成図である。
【図８】図７のような壁部材で出っ張らせた収納空間内に浴槽を出っ張らせて設置した状態の平面構成図である。
【符号の説明】
【００２３】
１  浴室
１ａ  防水パン
２  洗面室
３  間仕切壁
４  ドア
５，５ａ，５ｂ  柱
６  壁面
７  居室
８  間仕切枠
９  縦板
１０  棚
１１  壁パネル
１１ａ  内側壁パネル
１２  内枠
１３  壁部材
１３ａ  固定部
１３ｂ  出っ張り壁
１３ｃ  背壁
１４  浴槽
Ｓ  収納空間
Ｓ２  中空部
【図１】
2007023517.tif 000003
【図２】
2007023517.tif 000004
【図３】
2007023517.tif 000005
【図４】
2007023517.tif 000006
【図５】
2007023517.tif 000007
【図６】
2007023517.tif 000008
【図７】
2007023517.tif 000009
【図８】
2007023517.tif 000010